(57)【特許請求の範囲】
【請求項１】
電動歯ブラシ装置と利用者装置と指導者装置とを備えた歯磨指導システムであって、
前記電動歯ブラシ装置は、
少なくともブラシの動作を制御するための動作制御データを、直接または他の装置を介して、前記指導者装置から取得して記録部に記録する動作制御データ取得手段と、
前記動作制御データに基づいて、ブラシの動作を制御する制御手段と、
利用者が指導データに基づいて出力されたガイダンスにしたがって歯ブラシを行う際のブラシの少なくとも位置または姿勢を検出するためのセンサと、
前記センサの検出データを前記利用者装置に送信する検出データ送信手段とを備え、
前記利用者装置は、
少なくともブラシの当て方データを含む指導データを記録するための利用者装置記録部と、
修正された指導データを取得して、利用者装置記録部に記録された指導データを更新する指導データ更新手段と、
前記指導データに基づいて、少なくともブラシを当てる位置または姿勢を示すガイダンスを出力するガイダンス出力手段と、
前記電動歯ブラシ装置からの検出データと前記指導データに基づいて、歯ブラシ状況の解析を行い、解析データを生成する解析手段と、
解析データを、直接または他の装置を介して指導者装置に送信する解析データ送信手段とを備え、
前記指導者装置は、
前記解析データを取得して出力する解析データ出力手段と、
前記出力された解析データに基づいて、指導者による指導データまたは動作制御データの修正を受け付けて、指導データまたは動作制御データを修正するデータ修正手段と、
修正された指導データを、直接または他の装置を介して、前記利用者装置に送信し、修正された動作制御データを、直接または他の装置を介して、前記電動歯ブラシ装置に送信するデータ送信手段とを備えたことを特徴とする歯磨き指導システム。
【請求項２】
請求項１の歯磨き指導システムにおいて、
解析データを記録するためのサーバ装置記録部と、
前記利用者装置の前記解析データ送信手段から解析データを受信し、サーバ装置記録部に記録する解析データ取得・記録手段と、
前記サーバ装置記録部から解析データを読み出して、指導者装置に送信する解析データ読出・送信手段と、
を備えたサーバ装置をさらに備えることを特徴とするシステム。
【請求項３】
請求項１の歯磨き指導システムにおいて、
指導データを記録するためのサーバ装置記録部と、
前記指導者装置の前記指導データ送信手段から指導データまたは動作制御データを受信し、サーバ装置記録部に記録するデータ取得・記録手段と、
前記サーバ装置記録部から指導データまたは動作制御データを読み出して、直接または他の装置を介して、利用者装置または電動歯ブラシ装置に送信するデータ読出・送信手段と、
を備えたサーバ装置をさらに備えることを特徴とするシステム。
【請求項４】
少なくともブラシの当て方データを含む指導データを記録するための記録部と、
修正された指導データを取得して、記録部に記録された指導データを更新する指導データ更新手段と、
前記指導データに基づいて、少なくともブラシを当てる位置または姿勢を示すガイダンスを出力するガイダンス出力手段と、
利用者が出力されたガイダンスにしたがって歯ブラシを行う際のブラシの少なくとも位置または姿勢を検出するためのセンサからの検出データを、電動歯ブラシ装置から受信する検出データ受信手段と、
指導者装置において、解析装置からの解析データを参照して、指導者が指導データまたは電動歯ブラシ装置のブラシの動作を制御するための動作制御データを修正できるように、前記電動歯ブラシ装置からの検出データに基づいて、歯ブラシ状況の解析を行い、解析データを生成する解析手段と、
を備えた利用者装置。
【請求項５】
コンピュータによって利用者装置を実現するための利用者プログラムであって、コンピュータを、
修正された指導データを取得して、記録部に記録された指導データを更新する指導データ更新手段と、
前記指導データに基づいて、少なくともブラシを当てる位置または姿勢を示すガイダンスを出力するガイダンス出力手段と、
利用者が出力されたガイダンスにしたがって歯ブラシを行う際のブラシの少なくとも位置または姿勢を検出するためのセンサからの検出データを、電動歯ブラシ装置から受信する検出データ受信手段と、
指導者装置において、解析装置からの解析データを参照して、指導者が指導データまたは電動歯ブラシ装置のブラシの動作を制御するための動作制御データを修正できるように、前記電動歯ブラシ装置からの検出データに基づいて、歯ブラシ状況の解析を行い、解析データを生成する解析手段として機能させるための利用者プログラム。
【請求項６】
請求項１〜５のいずれかのシステム、装置またはプログラムにおいて、
前記解析手段は、前記検出データおよび前記指導データに基づいて、前記解析データを生成することを特徴とするシステム、装置またはプログラム。
【請求項７】
請求項１〜６のいずれかのシステム、装置またはプログラムにおいて、
前記ガイダンス出力手段は、解析データに基づいて、使用中の電動歯ブラシのブラシの位置または姿勢が、指導データによって指導されているブラシの位置または姿勢に合致しているか否かをリアルタイムに出力することを特徴とするシステム、装置またはプログラム。
【請求項８】
請求項１〜７のいずれかのシステム、装置またはプログラムにおいて、
前記指導データには、歯の各部位ごとのブラシの姿勢と各部位における歯磨き時間が含まれており、
前記ガイダンス出力手段は、解析データに基づいて、指導データによって指導されているブラシの姿勢に合致して歯磨きがなされた時間を、各部位ごとに積算し、当該積算時間が指導されている時間に到達すれば、次の部位を歯磨きするように促す出力を行うことを特徴とするシステム、装置またはプログラム。
【請求項９】
請求項１〜８のいずれかのシステム、装置またはプログラムにおいて、
前記解析手段は、検出データに加えて、指導データによるブラシの当て方を参照して、少なくともブラシの位置または姿勢を推定することを特徴とするシステム、装置またはプ
ログラム。
【請求項１０】
請求項９のシステム、装置またはプログラムにおいて、
前記指導データに基づくガイダンスは、ブラシを当てる歯の位置および姿勢を順番に指定するものであり、
当該順番は、隣接する順番において、位置変化または姿勢変化に対して前記センサの検出精度が高い変化を含むように指定されていることを特徴とするシステム、装置またはプログラム。
【請求項１１】
検出データと指導データに基づいて歯ブラシ状況の解析を行って生成された解析データを取得して出力する解析データ出力手段と、
前記出力された解析データに基づいて、指導者による指導データまたは動作制御データの修正を受け付けて、指導データまたは動作制御データを修正する指導データ修正手段と、
修正された指導データを、直接または他の装置を介して、利用者装置に送信し、修正された動作制御データを、直接または他の装置を介して、電動歯ブラシ装置に送信するデータ送信手段と、
を備えた指導者装置。
【請求項１２】
コンピュータによって指導者装置を実現するための指導者プログラムであって、コンピュータを、
検出データと指導データに基づいて歯ブラシ状況の解析を行って生成された解析データを取得して出力する解析データ出力手段と、
前記出力された解析データに基づいて、指導者による指導データまたは動作制御データの修正を受け付けて、指導データまたは動作制御データを修正する指導データ修正手段と、
修正された指導データを、直接または他の装置を介して、利用者装置に送信し、修正された動作制御データを、直接または他の装置を介して、電動歯ブラシ装置に送信するデータ送信手段として機能させるための指導者プログラム。
【請求項１３】
少なくともブラシの動作を制御するための動作制御データを、直接または他の装置を介して、指導者装置から取得して記録部に記録する動作制御データ取得手段と、
前記動作制御データに基づいて、ブラシの動作を制御する制御手段と、
利用者が出力されたガイダンスにしたがって歯ブラシを行う際のブラシの少なくとも位置または姿勢を検出するためのセンサと、
前記指導者装置において、指導者が前記動作制御データを修正する際に、前記センサの検出データに基づく解析データを参照できるように、前記センサの検出データを直接または他の装置を介して利用者装置に送信する検出データ送信手段と、
を備えた電動歯ブラシ装置。
【請求項１４】
請求項１３の電動歯ブラシ装置において、
前記指導データを取得して記録部に記録する指導データ取得手段と、
前記センサの検出データに基づいて推定されるブラシの少なくとも位置または姿勢が、前記指導データによって示されるブラシの位置または姿勢と合致しないことを検出し、表示部に注意表示を行う注意表示手段と、
をさらに備えた電動歯ブラシ装置。
【請求項１５】
請求項１３の電動歯ブラシ装置において、
前記指導データには、歯の各部位ごとのブラシの姿勢と各部位における歯磨き時間が含まれており、
前記指導データを取得して記録部に記録する指導データ取得手段と、
前記センサの検出データに基づいて推定されるブラシの少なくとも位置または姿勢に基づいて、指導データによって指導されているブラシの姿勢に合致して歯磨きがなされた時間を、各部位ごとに積算し、当該積算時間が指導されている時間に到達すれば、次の部位を歯磨きするように促す表示を行う注意表示手段と、
をさらに備えた電動歯ブラシ装置。
【請求項１６】
請求項１〜１５のシステム、装置またはプログラムにおいて、
前記指導データと動作制御データは、ひとかたまりのデータとされていることを特徴とするシステムまたは装置。
【請求項１７】
電動歯ブラシ装置と制御管理装置とを備えた歯磨指導システムであって、
前記電動歯ブラシ装置は、
少なくともブラシの動作を制御するための動作制御データを、前記制御管理装置から取得して記録部に記録する動作制御データ取得手段と、
前記動作制御データに基づいて、ブラシの動作を制御する制御手段と、
前記制御管理装置において指導データに基づいて出力されたガイダンスにしたがって、利用者が歯ブラシを行う際のブラシの少なくとも位置または姿勢を検出するためのセンサと、
前記センサの検出データを前記制御管理装置に送信する検出データ送信手段とを備え、
前記制御管理装置は、
少なくともブラシの当て方データを含む指導データおよび動作制御データを記録するための記録部と、
修正された指導データを取得して、記録部に記録された指導データを更新する指導データ更新手段と、
前記指導データに基づいて、少なくともブラシを当てる位置または姿勢を示すガイダンスを出力するガイダンス出力手段と、
前記電動歯ブラシ装置からの検出データに基づいて歯ブラシ状況の解析を行い、解析データを生成する解析手段と、
出力された前記解析データに基づいて、指導者による指導データまたは動作制御データの修正を受け付けて、指導データまたは動作制御データを修正するデータ修正手段とを備えたことを特徴とする歯磨き指導システム。
【請求項１８】
少なくともブラシの当て方データを含む指導データを記録するための利用者装置記録部と、
前記指導データに基づいて、少なくともブラシを当てる位置または姿勢を示すガイダンスを出力するガイダンス出力手段と、
利用者が出力されたガイダンスにしたがって歯ブラシを行う際のブラシの少なくとも位置または姿勢を検出するためのセンサからの検出データを、電動歯ブラシ装置から受信する検出データ受信手段と、
前記電動歯ブラシ装置からの検出データと前記利用者装置記録部に記録された前記指導データの両方に基づいて、前記電動歯ブラシ装置の位置または姿勢を推定する推定手段と、
を備えた利用者装置。
【請求項１９】
コンピュータによって利用者装置を実現するための利用者プログラムであって、コンピュータを、
少なくともブラシの当て方データを含む指導データを記録するための利用者装置記録部と、
前記指導データに基づいて、少なくともブラシを当てる位置または姿勢を示すガイダンスを出力するガイダンス出力手段と、
利用者が出力されたガイダンスにしたがって歯ブラシを行う際のブラシの少なくとも位置または姿勢を検出するためのセンサからの検出データを、電動歯ブラシ装置から受信する検出データ受信手段と、
前記電動歯ブラシ装置からの検出データと前記利用者装置記録部に記録された前記指導データの両方に基づいて、前記電動歯ブラシ装置の位置または姿勢を推定する推定手段として機能させるための利用者プログラム。
【発明の詳細な説明】
【技術分野】
【０００１】
この発明は、歯磨きを指導するためのシステムに関するものである。
【背景技術】
【０００２】
歯ブラシによる歯磨きは、各個人で長年にわたって繰り返し実施されてきたものであるが、それ故個人ごとの磨き癖が出てしまい、全体を適切に実施することは難しいのが現状である。実際、多くの歯科医院では磨き残しを改善するために歯ブラシ指導が日常的に実施されているのも、個人ごとの磨き癖の存在がそれら要因の一つとなっている。
【０００３】
また、歯科医や歯科衛生士などによる指導者による指導を受けても、一時的な改善にとどまり長期にわたってそれを維持することは難しいのが現状である。
【０００４】
この問題を解決するため、ブラシの角度や位置をセンサによって検出し、ブラッシングの適否を評価する装置が提案されている。
【０００５】
たとえば、特許文献１の装置では、加速度センサおよび接触検知センサによってブラシの三次元姿勢を検出し、ブラシの姿勢に基づいてブラッシング部位を推定するようにしている。また、各部位におけるブラッシング時間を計測する。このようにして、各部位におけるブラシ角、ブラッシング時間などを算出して、その適否を判断するようにしている。
【先行技術文献】
【特許文献】
【０００６】
【特許文献１】特開２００９−２４０７６０
【発明の概要】
【発明が解決しようとする課題】
【０００７】
しかしながら、上記のような従来技術では、歯ブラシを行う各個人に対応した適切なブラッシングを設定することは難しかった。さらに、同じ人であっても、歯の状態によって、適切なブラッシングの仕方は変わるものであるにもかかわらず、これに対応することはできなかった。特に、歯の状態を見て、適切なブラッシング方法を見いだすには専門家の指導が必要であり、従来技術ではこのような点が十分に配慮されていなかった。
【０００８】
本発明は、少なくとも上記のいずれかの問題を解決して、指導者の指導により、歯の状況に応じて適切なブラッシングを行うことのできる歯磨き指導システムを提供することを目的とする。
【課題を解決するための手段】
【０００９】
この発明の独立して適用可能な特徴を以下に列挙する。
【００１０】
(1)この発明に係る歯磨き指導システムは、電動歯ブラシ装置と利用者装置と指導者装置とを備えた歯磨指導システムであって、
前記電動歯ブラシ装置は、利用者が指導データに基づいて出力されたガイダンスにしたがって歯ブラシを行う際のブラシの少なくとも位置または姿勢を検出するためのセンサと、前記センサの検出データを前記利用者装置に送信する検出データ送信手段とを備え、
前記利用者装置は、少なくともブラシの当て方データを含む指導データを記録するための利用者装置記録部と、修正された指導データを取得して、利用者装置記録部に記録された指導データを更新する指導データ更新手段と、前記指導データに基づいて、少なくともブラシを当てる位置または姿勢を示すガイダンスを出力するガイダンス出力手段と、前記電動歯ブラシ装置からの検出データに基づいて、歯ブラシ状況の解析を行い、解析データを生成する解析手段と、解析データを、直接または他の装置を介して指導者装置に送信する解析データ送信手段とを備え、
前記指導者装置は、前記解析データを取得して出力する解析データ出力手段と、前記出力された解析データに基づいて、指導者による指導データの修正を受け付けて、指導データを修正する指導データ修正手段と、修正された指導データを、直接または他の装置を介して、前記利用者装置に送信する指導データ送信手段とを備えたことを特徴としている。
【００１１】
したがって、歯磨き状況に応じて指導者によって指導データを修正し、適切な歯磨きを行うように指導することができる。
【００１２】
(2)この発明に係る歯磨き指導システムは、解析データを記録するためのサーバ装置記録部と、前記利用者装置の前記解析データ送信手段から解析データを受信し、サーバ装置記録部に記録する解析データ取得・記録手段と、前記サーバ装置記録部から解析データを読み出して、指導者装置に送信する解析データ読出・送信手段とを備えたサーバ装置をさらに備えることを特徴としている。
【００１３】
したがって、解析データをサーバ装置において管理することができる。
【００１４】
(3)この発明に係る歯磨きシステムは、指導データを記録するためのサーバ装置記録部と、前記指導者装置の前記指導データ送信手段から指導データを受信し、サーバ装置記録部に記録する指導データ取得・記録手段と、前記サーバ装置記録部から指導データを読み出して、利用者装置に送信する指導データ読出・送信手段とを備えたサーバ装置をさらに備えることを特徴としている。
【００１５】
したがって、指導データをサーバ装置において管理することができる。
【００１６】
(4)(5)この発明に係る利用者装置は、少なくともブラシの当て方データを含む指導データを記録するための利用者装置記録部と、修正された指導データを取得して、利用者装置記録部に記録された指導データを更新する指導データ更新手段と、前記指導データに基づいて、少なくともブラシを当てる位置または姿勢を示すガイダンスを出力するガイダンス出力手段と、利用者が出力されたガイダンスにしたがって歯ブラシを行う際のブラシの少なくとも位置または姿勢を検出するためのセンサからの検出データを、電動歯ブラシ装置から受信する検出データ受信手段と、指導者装置において、解析データを参照して、指導者が指導データを修正できるように、前記電動歯ブラシ装置からの検出データに基づいて、歯ブラシ状況の解析を行い、解析データを生成する解析手段とを備えている。
【００１７】
したがって、歯磨き状況に応じて指導者によって指導データを修正し、適切な歯磨きを行うように指導することができる。
【００１８】
(6)この発明にかかる利用者装置は、解析手段が、前記検出データおよび前記指導データに基づいて、前記解析データを生成することを特徴としている。
【００１９】
したがって、磨き方が指導どおりであるかを解析することができる。
【００２０】
(7)この発明に係る利用者装置は、ガイダンス出力手段が、解析データに基づいて、使用中の電動歯ブラシのブラシの位置または姿勢が、指導データによって指導されているブラシの位置または姿勢に合致しているか否かをリアルタイムに出力することを特徴としている。
【００２１】
したがって、歯磨き中に、指導どおりに磨けているかどうかを知らせることができる。
【００２２】
(8)この発明に係る利用者装置は、指導データには、歯の各部位ごとのブラシの姿勢と各部位における歯磨き時間が含まれており、ガイダンス出力手段は、解析データに基づいて、指導データによって指導されているブラシの姿勢に合致して歯磨きがなされた時間を、各部位ごとに積算し、当該積算時間が指導されている時間に到達すれば、次の部位を歯磨きするように促す出力を行うことを特徴としている。
【００２３】
したがって、指導どおりの歯磨きを実現する装置を提供することができる。
【００２４】
(9)この発明に係る利用者装置は、解析手段が、検出データに加えて、指導データによるブラシの当て方を参照して、少なくともブラシの位置または姿勢を推定することを特徴としている。
【００２５】
したがって、より正確に推定を行うことができる。
【００２６】
(10)この発明に係る利用者装置は、指導データに基づくガイダンスは、ブラシを当てる歯の位置および姿勢を順番に指定するものであり、当該順番は、隣接する順番において、位置変化または姿勢変化に対して前記センサの検出精度が高い変化を含むように指定されていることを特徴としている。
【００２７】
したがって、センサの検出精度を補って、より正確な推定を行うことができる。
【００２８】
(11)(12)この発明に係る指導者装置は、検出データに基づいて歯ブラシ状況の解析を行って生成された解析データを取得して出力する解析データ出力手段と、前記出力された解析データに基づいて、指導者による指導データの修正を受け付けて、指導データを修正する指導データ修正手段と、修正された指導データを、直接または他の装置を介して、利用者装置に送信する指導データ送信手段とを備えている。
【００２９】
したがって、歯磨き状況に応じて指導者によって指導データを修正し、適切な歯磨きを行うように指導することができる。
【００３０】
(13)この発明に係る電動歯ブラシ装置は、利用者が指導データに基づいて出力されたガイダンスにしたがって歯ブラシを行う際のブラシの少なくとも位置または姿勢を検出するためのセンサと、指導者装置において、指導者が前記指導データを修正する際に、前記センサの検出データに基づく解析データを参照できるように、前記センサの検出データを利用者装置に送信する検出データ送信手段とを備えている。
【００３１】
したがって、歯磨き状況に応じて指導者によって指導データを修正し、適切な歯磨きを行うように指導することができる。
【００３２】
(14)この発明に係る電動歯ブラシ装置は、前記指導データを取得して記録部に記録する指導データ取得手段と、前記センサの検出データに基づいて推定されるブラシの少なくとも位置または姿勢が、前記指導データによって示されるブラシの位置または姿勢と合致しないことを検出し、表示部に注意表示を行う注意表示手段とをさらに備えている。
【００３３】
したがって、指導どおりに歯磨きを行うように注意を与えることができる。
【００３４】
(15)この発明に係る電動歯ブラシ装置は、前記指導データには、歯の各部位ごとのブラシの姿勢と各部位における歯磨き時間が含まれており、前記指導データを取得して記録部に記録する指導データ取得手段と、前記センサの検出データに基づいて推定されるブラシの少なくとも位置または姿勢に基づいて、指導データによって指導されているブラシの姿勢に合致して歯磨きがなされた時間を、各部位ごとに積算し、当該積算時間が指導されている時間に到達すれば、次の部位を歯磨きするように促す表示を行う注意表示手段とをさらに備ている。
【００３５】
したがって、指導どおりの歯磨きを実現する電動歯ブラシを提供することができる。
【００３６】
(16)この発明に係る電動歯ブラシは、電動歯ブラシ装置と制御管理装置とを備えた歯磨指導システムであって、
前記電動歯ブラシ装置は、前記制御管理装置において指導データに基づいて出力されたガイダンスにしたがって、利用者が歯ブラシを行う際のブラシの少なくとも位置または姿勢を検出するためのセンサと、前記センサの検出データを前記制御管理装置に送信する検出データ送信手段とを備え、
前記制御管理装置は、少なくともブラシの当て方データを含む指導データを記録するための記録部と、修正された指導データを取得して、記録部に記録された指導データを更新する指導データ更新手段と、前記指導データに基づいて、少なくともブラシを当てる位置または姿勢を示すガイダンスを出力するガイダンス出力手段と、前記電動歯ブラシ装置からの検出データに基づいて歯ブラシ状況の解析を行い、解析データを生成する解析手段と、出力された前記解析データに基づいて、指導者による指導データの修正を受け付けて、指導データを修正する指導データ修正手段とを備えたことを特徴としている。
【００３７】
したがって、歯磨き状況に応じて指導者によって指導データを修正し、適切な歯磨きを行うように指導することができる。
【００３８】
(17)この発明に係る歯磨指導システムは、電動歯ブラシ装置と利用者装置と指導者装置とを備えた歯磨指導システムであって、
前記電動歯ブラシ装置は、少なくともブラシの動作を制御するための動作制御データを、直接または他の装置を介して、前記指導者装置から取得して記録部に記録する動作制御データ取得手段と、前記動作制御データに基づいて、ブラシの動作を制御する制御手段と、利用者が指導データに基づいて出力されたガイダンスにしたがって歯ブラシを行う際のブラシの少なくとも位置または姿勢を検出するためのセンサと、前記センサの検出データを前記利用者装置に送信する検出データ送信手段とを備え、
前記利用者装置は、少なくともブラシの当て方データを含む指導データを記録するための利用者装置記録部と、修正された指導データを取得して、利用者装置記録部に記録された指導データを更新する指導データ更新手段と、前記指導データに基づいて、少なくともブラシを当てる位置または姿勢を示すガイダンスを出力するガイダンス出力手段と、前記電動歯ブラシ装置からの検出データと前記指導データに基づいて、歯ブラシ状況の解析を行い、解析データを生成する解析手段と、解析データを、直接または他の装置を介して指導者装置に送信する解析データ送信手段とを備え、
前記指導者装置は、前記解析データを取得して出力する解析データ出力手段と、前記出力された解析データに基づいて、指導者による指導データまたは動作制御データの修正を受け付けて、指導データまたは動作制御データを修正するデータ修正手段と、修正された指導データを、直接または他の装置を介して、前記利用者装置に送信し、修正された動作制御データを、直接または他の装置を介して、前記電動歯ブラシ装置に送信するデータ送信手段とを備えたことを特徴としている。
【００３９】
したがって、歯磨き状況に応じて指導者によって指導データ・動作制御データを修正し、適切な歯磨きを行うように指導することができる。
【００４０】
(18)この発明に係る歯磨き指導システムは、解析データを記録するためのサーバ装置記録部と、前記利用者装置の前記解析データ送信手段から解析データを受信し、サーバ装置記録部に記録する解析データ取得・記録手段と、前記サーバ装置記録部から解析データを読み出して、指導者装置に送信する解析データ読出・送信手段とを備えたサーバ装置をさらに備えている。
【００４１】
したがって、サーバ装置にて解析データの管理を行うことができる。
【００４２】
(19)この発明に係る歯磨き指導システムは、指導データを記録するためのサーバ装置記録部と、前記指導者装置の前記指導データ送信手段から指導データまたは動作制御データを受信し、サーバ装置記録部に記録するデータ取得・記録手段と、前記サーバ装置記録部から指導データまたは動作制御データを読み出して、直接または他の装置を介して、利用者装置または電動歯ブラシ装置に送信するデータ読出・送信手段とを備えたサーバ装置をさらに備えることを特徴としている。
【００４３】
したがって、サーバ装置にて指導データまたは動作制御データの管理を行うことができる。
【００４４】
(20)(21)この発明に係る利用者装置は、少なくともブラシの当て方データを含む指導データを記録するための記録部と、修正された指導データを取得して、記録部に記録された指導データを更新する指導データ更新手段と、前記指導データに基づいて、少なくともブラシを当てる位置または姿勢を示すガイダンスを出力するガイダンス出力手段と、利用者が出力されたガイダンスにしたがって歯ブラシを行う際のブラシの少なくとも位置または姿勢を検出するためのセンサからの検出データを、電動歯ブラシ装置から受信する検出データ受信手段と、指導者装置において、解析装置からの解析データを参照して、指導者が指導データまたは電動歯ブラシ装置のブラシの動作を制御するための動作制御データを修正できるように、前記電動歯ブラシ装置からの検出データに基づいて、歯ブラシ状況の解析を行い、解析データを生成する解析手段とを備えている。
【００４５】
したがって、歯磨き状況に応じて指導者によって指導データ・動作制御データを修正し、適切な歯磨きを行うように指導することができる。
【００４６】
(22)この発明に係る利用者装置は、解析手段が、前記検出データおよび前記指導データに基づいて、前記解析データを生成することを特徴としている。
【００４７】
したがって、磨き方が指導どおりであるかどうかを解析することができる。
【００４８】
(23)この発明に係る利用者装置は、ガイダンス出力手段が、解析データに基づいて、使用中の電動歯ブラシのブラシの位置または姿勢が、指導データによって指導されているブラシの位置または姿勢に合致しているか否かをリアルタイムに出力することを特徴としている。
【００４９】
したがって、指導データ通りに磨けているかどうかを示すことができる。
【００５０】
(24)この発明に係る利用者装置は、指導データには、歯の各部位ごとのブラシの姿勢と各部位における歯磨き時間が含まれており、前記ガイダンス出力手段は、解析データに基づいて、指導データによって指導されているブラシの姿勢に合致して歯磨きがなされた時間を、各部位ごとに積算し、当該積算時間が指導されている時間に到達すれば、次の部位を歯磨きするように促す出力を行うことを特徴としている。
【００５１】
したがって、指導どおりに磨くことを実現する装置を提供できる。
【００５２】
(25)この発明に係る利用装置は、解析手段が、検出データに加えて、指導データによるブラシの当て方を参照して、少なくともブラシの位置または姿勢を推定することを特徴としている。
【００５３】
したがって、より正確に推定を行うことができる。
【００５４】
(26)この発明に係る利用者装置は、指導データに基づくガイダンスは、ブラシを当てる歯の位置および姿勢を順番に指定するものであり、当該順番は、隣接する順番において、位置変化または姿勢変化に対して前記センサの検出精度が高い変化を含むように指定されていることを特徴としている。
【００５５】
したがって、センサの検出精度を補って、より正確な推定を行うことができる。
【００５６】
(27)(28)この発明に係る指導者装置は、検出データと指導データに基づいて歯ブラシ状況の解析を行って生成された解析データを取得して出力する解析データ出力手段と、前記出力された解析データに基づいて、指導者による指導データまたは動作制御データの修正を受け付けて、指導データまたは動作制御データを修正する指導データ修正手段と、修正された指導データを、直接または他の装置を介して、利用者装置に送信し、修正された動作制御データを、直接または他の装置を介して、電動歯ブラシ装置に送信するデータ送信手段とを備えている。
【００５７】
したがって、歯磨き状況に応じて指導者によって指導データ・動作制御データを修正し、適切な歯磨きを行うように指導することができる。
【００５８】
(29)この発明に係る電動歯ブラシ装置は、少なくともブラシの動作を制御するための動作制御データを、直接または他の装置を介して、指導者装置から取得して記録部に記録する動作制御データ取得手段と、前記動作制御データに基づいて、ブラシの動作を制御する制御手段と、利用者が出力されたガイダンスにしたがって歯ブラシを行う際のブラシの少なくとも位置または姿勢を検出するためのセンサと、前記指導者装置において、指導者が前記動作制御データを修正する際に、前記センサの検出データに基づく解析データを参照できるように、前記センサの検出データを直接または他の装置を介して利用者装置に送信する検出データ送信手段とを備えている。
【００５９】
したがって、歯磨き状況に応じて指導者によって指導データ・動作制御データを修正し、適切な歯磨きを行うように指導することができる。
【００６０】
(30)この発明に係る電動歯ブラシ装置は、指導データを取得して記録部に記録する指導データ取得手段と、前記センサの検出データに基づいて推定されるブラシの少なくとも位置または姿勢が、前記指導データによって示されるブラシの位置または姿勢と合致しないことを検出し、表示部に注意表示を行う注意表示手段とをさらに備えている。
【００６１】
したがって、指導どおりに磨けているかどうかを示すことができる。
【００６２】
(31)この発明に係る電動歯ブラシ装置は、指導データには、歯の各部位ごとのブラシの姿勢と各部位における歯磨き時間が含まれており、前記指導データを取得して記録部に記録する指導データ取得手段と、前記センサの検出データに基づいて推定されるブラシの少なくとも位置または姿勢に基づいて、指導データによって指導されているブラシの姿勢に合致して歯磨きがなされた時間を、各部位ごとに積算し、当該積算時間が指導されている時間に到達すれば、次の部位を歯磨きするように促す表示を行う注意表示手段とをさらに備えている。
【００６３】
したがって、指導どおりの歯磨きを実現する装置を提供することができる。
【００６４】
(32)この発明に係る電動歯ブラシ装置は、指導データと動作制御データは、ひとかたまりのデータとされていることを特徴としている。
【００６５】
したがって、取り扱いが容易である。
【００６６】
(33)この発明に係る歯磨き指導システムは、電動歯ブラシ装置と制御管理装置とを備えた歯磨指導システムであって、
前記電動歯ブラシ装置は、少なくともブラシの動作を制御するための動作制御データを、前記制御管理装置から取得して記録部に記録する動作制御データ取得手段と、前記動作制御データに基づいて、ブラシの動作を制御する制御手段と、前記制御管理装置において指導データに基づいて出力されたガイダンスにしたがって、利用者が歯ブラシを行う際のブラシの少なくとも位置または姿勢を検出するためのセンサと、前記センサの検出データを前記制御管理装置に送信する検出データ送信手段とを備え、
前記制御管理装置は、少なくともブラシの当て方データを含む指導データおよび動作制御データを記録するための記録部と、修正された指導データを取得して、記録部に記録された指導データを更新する指導データ更新手段と、前記指導データに基づいて、少なくともブラシを当てる位置または姿勢を示すガイダンスを出力するガイダンス出力手段と、前記電動歯ブラシ装置からの検出データに基づいて歯ブラシ状況の解析を行い、解析データを生成する解析手段と、出力された前記解析データに基づいて、指導者による指導データまたは動作制御データの修正を受け付けて、指導データまたは動作制御データを修正するデータ修正手段とを備えたことを特徴としている。
【００６７】
したがって、歯磨き状況に応じて指導者によって指導データ・動作制御データを修正し、適切な歯磨きを行うように指導することができる。
【００６８】
(34)(35)この発明に係る利用者装置は、少なくともブラシの当て方データを含む指導データを記録するための利用者装置記録部と、前記指導データに基づいて、少なくともブラシを当てる位置または姿勢を示すガイダンスを出力するガイダンス出力手段と、利用者が出力されたガイダンスにしたがって歯ブラシを行う際のブラシの少なくとも位置または姿勢を検出するためのセンサからの検出データを、電動歯ブラシ装置から受信する検出データ受信手段と、前記電動歯ブラシ装置からの検出データに基づいて、前記電動歯ブラシ装置の位置または姿勢を推定する推定手段とを備えた利用者装置において、前記推定手段は、指導データによって示される位置または姿勢を考慮して、前記推定を行うことを特徴としている。
【００６９】
したがって、センサの検出精度を補って、より正確な推定を行うことができる。
【００７０】
「位置または姿勢を検出するためのセンサ」とは、少なくとも位置または姿勢のいずれかを決定・推定するために用いるデータを出力するセンサをいう。実施形態では、加速度センサ３１、ジャイロセンサ３３、位置・姿勢センサ９３１などがこれに該当する。
【００７１】
「検出データ送信手段」は、実施形態においては、ステップＳ３４がこれに対応する。
【００７２】
「利用者装置記録部」は、実施形態においては、不揮発性メモリ４５がこれに対応する。
【００７３】
「指導データ更新手段」は、実施形態においては、ステップＳ６７がこれに対応する。
【００７４】
「ガイダンス出力手段」は、実施形態においては、ステップＳ５８がこれに対応する。
【００７５】
「解析手段」は、実施形態においては、ステップＳ６５がこれに対応する。
【００７６】
「解析データ送信手段」は、実施形態においては、ステップＳ６６がこれに対応する。
【００７７】
「解析データ出力手段」は、実施形態においては、ステップＳ７４がこれに対応する。
【００７８】
「指導データ修正手段」は、実施形態においては、ステップＳ７５がこれに対応する。
【００７９】
「指導データ送信手段」は、実施形態においては、ステップＳ７６がこれに対応する。
【００８０】
「動作制御データ取得手段」は、実施形態においては、ステップＳ６７１がこれに対応する。
【００８１】
「制御手段」は、実施形態においては、ステップＳ３４１がこれに対応する。
【００８２】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００８３】
【図１】第１の実施形態による歯磨き指導システムの機能ブロック図である。
【図２】歯磨き指導システムのシステム構成図である。
【図３】電動歯ブラシ２の外観を示す図である。
【図４】電動歯ブラシ装置２のハードウエア構成である。
【図５】スマートフォン４ａのハードウエア構成である。
【図６】指導者装置６のハードウエア構成である。
【図７】サーバ装置８のハードウエア構成である。
【図８】ペアリング処理のフローチャートである。
【図９ａ】歯磨き指導処理のフローチャートである。
【図９ｂ】歯磨き指導処理のフローチャートである。
【図１０】歯磨き指導処理のフローチャートである。
【図１１】歯磨き指導処理のフローチャートである。
【図１２】ガイダンス画面例である。
【図１３】電動歯ブラシ装置２のＬＥＤとスイッチを示す図である。
【図１４】ガイダンス画面例である。
【図１５】図１５Ａは指導データの例である。図１５Ｂは各部位を示す図である。
【図１６】電動歯ブラシ装置２の基本位置・基本姿勢を示す図である。
【図１７】センサデータに基づいて、部位を特定する処理を説明するための図である。
【図１８】診察時処理のフローチャートである。
【図１９】解析画面を示す図である。
【図２０】磨き方設定画面（指導データ修正画面）を示す図である。
【図２１】第２の実施形態による歯磨き指導システムの機能ブロック図である。
【図２２】電動歯ブラシ装置２のハードウエア構成である。
【図２３ａ】歯磨き指導処理のフローチャートである。
【図２３ｂ】歯磨き指導処理のフローチャートである。
【図２４】歯磨き指導処理のフローチャートである。
【図２５】歯磨き指導処理のフローチャートである。
【図２６】動作制御データの例である。
【図２７】診察時処理のフローチャートである。
【図２８】磨き方設定画面（指導データ・動作制御データ修正画面）を示す図である。
【発明を実施するための形態】
【００８４】
１．第１の実施形態
1.1全体構成
図１に、この発明の一実施形態による歯磨き指導システムの全体構成を示す。このシステムは、電動歯ブラシ装置２、利用者のスマートフォンなどの利用者装置４、歯科医師のＰＣなどの指導者装置６、サーバ装置８を備えている。
【００８５】
利用者装置４のガイダンス出力手段４４は、利用者装置記録部４６に記録されている指導データに基づいて、歯磨きのガイダンスをディスプレイなどに出力する。利用者は、このガイダンスを参照しながら、電動歯ブラシ２にて歯磨きを行う。
【００８６】
電動歯ブラシ装置２のセンサ２４は、ブラシの位置および姿勢を推定するための検出データを出力する。検出データは、検出データ送信手段２２によって、利用者装置４に送信される。
【００８７】
利用者装置４の解析手段４２は、検出データおよび指導データに基づいて、歯ブラシ状況を解析する。解析データは、解析データ送信手段５０によって、サーバ装置８に送信される。
【００８８】
サーバ装置８の解析データ取得・記録手段８２は、取得した解析データをサーバ装置記録部８４に記録する。解析データ読出・送信手段８６は、指導者装置６からの要求を受けて、サーバ装置記録部８４に記録されている解析データを送信する。
【００８９】
指導者装置６の解析データ出力手段６２は、サーバ装置８から受信した解析データを、ディスプレイなどに表示する。歯科医師などの指導者は、この解析データを参照し、ガイダンスとして表示するための指導データを修正するための指示を入力する。指導データ修正手段６４は、これを受けて、指導データを修正する。
【００９０】
指導データ送信手段６６は、サーバ装置８を介して、利用者装置４に対して修正された指導データを送信する。利用者装置４の指導データ更新手段４８は、利用者装置記録部４６に記録されている指導データを、受信した指導データによって更新する。したがって、次回からのガイダンスは、歯ブラシ状況に基づいて歯科医師などが修正した指導データに基づいて行われることになる。したがって、指導者による適切な歯磨き指導を行って、これを実践することができる。
【００９１】
1.2ハードウエア構成
(1)システム構成
図２に、歯磨き指導システムのシステム構成例を示す。電動歯ブラシ２と利用者装置であるスマートフォン４ａは、ブルーツース通信によって通信可能である。サーバ装置８は、インターネット５の上のサーバとして構築されている。指導者装置６は、インターネット５に接続可能なＰＣとして構築されている。
【００９２】
(2)電動歯ブラシ装置２のハードウエア構成
図４に、電動歯ブラシ装置２のハードウエア構成を示す。ＣＰＵ２０には、スイッチ２１ａ、２１ｂ、２１ｃ、ＬＥＤ２３ａ、２３ｂ、２３ｃ、２３ｄ、２３ｅ、近距離通信回路２５、不揮発性メモリ２７、ブラシ制御部２９、加速度センサ３１、ジャイロセンサ３３が接続されている。
【００９３】
電源スイッチ２１ｃは、使用者の操作によって、ブラシ制御部２９に対し、駆動もしくは停止の信号を与えるものである。開始スイッチ２１ａは、処理開始などの指示を与えるためのスイッチである。選択スイッチ２１ｂは、選択などの指示を与えるためのスイッチである。
【００９４】
告知ＬＥＤ２３ａは、注意喚起などを表示するためのものである。ユーザ表示ＬＥＤ２３ｂ〜２３ｅは、いずれのユーザであるかを示すための表示である。
【００９５】
近距離通信回路２５は、ブルーツース規格に基づく通信を行う回路である。ブラシ制御部２９は、ブラシの駆動強度などを制御するものである。
【００９６】
加速度センサ３１は、電動歯ブラシ２の位置を推定するためのセンサであり、この実施形態では、互いに直交する３軸（Ｘ軸、Ｙ軸、Ｚ軸）方向の加速度を出力する加速度センサを用いている。この各軸成分の加速度を時間によって二重積分すれば、図３に示すＸ軸、Ｙ軸、Ｚ軸方向の移動距離を算出することができる。したがって、測定開始位置が既知であれば、各時刻における電動歯ブラシ２の位置を推定することができる。
【００９７】
ジャイロセンサ３３は、電動歯ブラシ２の姿勢を推定するためのセンサであり、この実施形態では、Ｘ軸周りの角速度、Ｙ軸周りの角速度、Ｚ軸周りの角速度を検出するジャイロセンサを用いている。この各成分を時間によって積分すれば、図３に示すγ、β、αの各回転角度を算出することができる。したがって、測定開始時の姿勢が既知であれば、各時刻における電動歯ブラシ２の姿勢を推定することができる。
【００９８】
図４に戻って、不揮発性メモリ２７には、オペレーティングシステム３５、歯ブラシプログラム４８が記録されている。歯ブラシプログラム４８は、オペレーティングシステム３５と協働してその機能を発揮する。なお、この実施形態では、オペレーティングシステム３５を用いているが、オペレーティングシステムなしで機能する歯ブラシプログラムを設けてもよい。
【００９９】
(3)スマートフォン４ａのハードウエア構成
図５に、スマートフォン４ａのハードウエア構成を示す。ＣＰＵ４０には、タッチディスプレイ４１、近距離通信回路４３、不揮発性メモリ４５、通信回路４７が接続されている。なお、電話として機能させるための回路などについては、図示を省略している。
【０１００】
タッチディスプレイ４１は、表示を行うとともに利用者の操作を受け付けるためのものである。近距離通信回路４３は、ブルーツース（商標）規格に基づく通信を行う回路である。通信回路４７は、インターネットに接続するための回路である。
【０１０１】
不揮発性メモリ４５には、オペレーティングシステム４９、利用者プログラム５１が記録されている。利用者プログラム５１は、オペレーティングシステム４９と協働してその機能を発揮する。この実施形態では、利用者プログラム５１は、インターネットを介してダウンロードしたものである。
【０１０２】
(4)指導者装置６のハードウエア構成
図６に、指導者装置６のハードウエア構成を示す。ＣＰＵ６０には、ディスプレイ６１、近距離通信回路６３、ハードディスク６５、ＤＶＤ−ＲＯＭドライブ６７、キーボード／マウス６９、通信回路７１が接続されている。
【０１０３】
近距離通信回路６７は、ブルーツース（商標）規格に基づく通信を行う回路である。通信回路７１は、インターネットに接続するための回路である。
【０１０４】
ハードディスク６５には、オペレーティングシステム７３、指導者プログラム７５が記録されている。指導者プログラム７５は、オペレーティングシステム７３と協働してその機能を発揮する。これらプログラムは、ＤＶＤ−ＲＯＭ７７に記録されていたものを、ＤＶＤ−ＲＯＭドライブ６７を介して、ハードディスク６５にインストールしたものである。なお、インターネットを介してダウンロードしたものであってもよい。
【０１０５】
(5)サーバ装置８
図７に、サーバ装置８のハードウエア構成を示す。ＣＰＵ８０には、通信回路８１、ハードディスク８３、ＤＶＤ−ＲＯＭドライブ８５が接続されている。
【０１０６】
通信回路８１は、インターネットに接続するための回路である。ハードディスク８３には、オペレーティングシステム８７、サーバプログラム８９が記録されている。サーバプログラム８９は、オペレーティングシステム８７と協働してその機能を発揮する。これらプログラムは、ＤＶＤ−ＲＯＭ９１に記録されていたものを、ＤＶＤ−ＲＯＭドライブ８５を介して、ハードディスク８３にインストールしたものである。なお、インターネットを介してダウンロードしたものであってもよい。
【０１０７】
1.3歯磨き指導処理
図８〜図１１、図１８に、電動歯ブラシ装置２とスマートフォン４ａのペアリング処理、歯磨き指導処理、診察時処理のフローチャートを示す。
【０１０８】
図８に、ブルーツース（商標）通信によって、電動歯ブラシ装置２とスマートフォン４ａをペアリングする処理を示す。この処理は、電動歯ブラシ装置２とスマートフォン４ａとの組合せにて初めて使用する場合に行うものである。
【０１０９】
スマートフォン４ａの利用者プログラム５１が起動されると、スマートフォン４ａのＣＰＵ４０（以下、スマートフォン４ａと省略することがある）は、ＩＤ、パスワード、使用者名の入力を求める画面を、タッチディスプレイ４１に表示する。ユーザは、この入力を行い、タッチディスプレイ４１上に表示されたＳＣＡＮボタンをクリックする（ステップＳ４２）。
【０１１０】
一方、ユーザは、電動歯ブラシ装置２の開始スイッチ２１ａ（図３参照）を押下する。これにより、電動歯ブラシ装置２のＣＰＵ２０（以下、電動歯ブラシ装置２と省略することがある）は、歯ブラシプログラム４８にしたがって、自身の装置番号（シリアル番号）とこのユーザに割り当てたユーザ番号を、近距離通信回路２５によって、スマートフォン４ａに送信する（ステップＳ２２）。
【０１１１】
スマートフォン４ａは、これを受けて、上記の電動歯ブラシ装置２を含んで、他の通信可能な（すでにペアリング済みの）ブルーツース（商標）機器の一覧を、タッチディスプレイ４１に表示する（ステップＳ４３）。ユーザが、タッチディスプレイ４１の一覧表示から電動歯ブラシ装置２を選択すると、スマートフォン４ａは、選択信号を電動歯ブラシ装置２に送信する（ステップＳ４４）。
【０１１２】
これにより、電動歯ブラシ装置２とスマートフォン４ａの通信が確立され（ステップＳ２３、Ｓ４５）、両装置において、互いに相手機器の装置番号が記録される。このようにして、ペアリングが行われる。以後は、近傍に既にペアリングされた機器があれば、自動的に通信を確立する処理が行われる。
【０１１３】
スマートフォン４ａは、次に、歯ブラシ名を入力するための画面をタッチディスプレイ４１に表示する。ユーザが、歯ブラシ名を入力すると、スマートフォン４ａは、電動歯ブラシ装置２のシリアル番号に対応付けて入力された歯ブラシ名を記録する（ステップＳ４６）。これにより、複数の電動歯ブラシ装置２を用いている場合に、歯ブラシ名にて区別を行うことが可能となる。この際、ステップＳ４１において入力されたユーザ名と、電動歯ブラシ装置２から受けたユーザ番号を対応づけて記録する。
【０１１４】
図９ａ、図９ｂ、図１０、図１１、図１８に、歯磨き指導処理、診察時処理のフローチャートを示す。ここでは、既に、電動歯ブラシ装置２とスマートフォン４ａのペアリングが済んでいるものとする。
【０１１５】
スマートフォン４ａの利用者プログラム５１が起動されると、ＣＰＵ４０（以下、スマートフォン４ａと省略することがある）は、初期画面をタッチディスプレイ４１に表示する（ステップＳ５１）。
【０１１６】
図１２Ａに、初期画面の例を示す。画面の中央部には、歯の磨き方をガイダンスするための口腔画像領域４０４が設けられている。上部には、予め、利用者プログラム５１によって登録されたユーザ名を表示するユーザ名表示領域４００が設けられている。なお、利用者プログラム５１の起動時に、ＩＤとパスワードによるログイン処理を行い、ＩＤに対応付けて記録されたユーザ名を用いるようにしてもよい。ユーザ名表示領域４００の下には、ユーザに対する開始ガイダンスを表示する開始ガイダンス表示領域４０２が設けられている。
【０１１７】
図１２Ａにおいては、電動歯ブラシ装置２の電源スイッチ２１ｃを押下するように、ガイダンスが表示されている。これを受けて、ユーザが電動歯ブラシ装置２の電源スイッチ２１ｃ（図３参照）を押下すると、電動歯ブラシ装置２のＣＰＵ２０（以下、電動歯ブラシ装置２と省略することがある）は、告知ＬＥＤ２３ａを点滅させる（ステップＳ２６）。これにより、ユーザは、電動歯ブラシ装置２について、何らかの操作が必要であることを認識することができる。
【０１１８】
続いて、電動歯ブラシ装置２は、前回に使用したユーザのユーザ番号を、不揮発性メモリ２７から読み出す。読み出したユーザ番号に基づいて、図３のユーザＬＥＤ２３ｂ、２３ｃ、２３ｄ、２３ｅのいずれかを点灯させる（ステップＳ２６）。この実施形態では、電動歯ブラシ装置２の歯ブラシ部分を差し替えることにより、４人のユーザが使用できるようにしている。したがって、ユーザ番号は、「１」〜「４」まで設定されている。たとえば、前回に使用したユーザのユーザ番号が「１」であれば、電動歯ブラシ装置２は、図１３Ａに示すように、ユーザＬＥＤ２３ｂを点灯させる。
【０１１９】
次に、スマートフォン４ａおよび電動歯ブラシ装置２は、互いの通信を確立させる（ステップＳ５２、Ｓ２７）。
【０１２０】
通信が確立すると、電動歯ブラシ装置２は、前回使用していたユーザのユーザ番号（前回使用時に不揮発性メモリ２７に記録したもの）を、スマートフォン４ａに送信する（ステップＳ２８）。これを受けて、スマートフォン４ａは、タッチディスプレイ４１に、電動歯ブラシ装置およびユーザを確認するための画面を表示する（ステップＳ５３）。
【０１２１】
図１２Ｂに、確認画面例を示す。歯ブラシ選択画面は、複数の電動歯ブラシ装置２が通信可能な位置にある場合に、そのいずれかを選択するためのものである。プルダウンボタン４０８によって、電動歯ブラシ装置の一覧を表示して選択することができる。
【０１２２】
また、上述のように、ユーザ名表示領域４００には、現在、電動歯ブラシ装置２によって選択されているユーザ名が表示されている。このユーザ名が違っていれば、ユーザは、電動歯ブラシ装置２の選択スイッチ２１ｂ（図１３Ａ参照）を押下する。これを受けて（ステップＳ３０）、電動歯ブラシ装置２は、次のユーザ番号を、スマートフォン４ａに送信する（ステップＳ２８）。現在のユーザ番号が「１」であれば「２」、「２」であれば「３」・・・「４」であれば「１」のように送信する。
【０１２３】
電動歯ブラシ装置２は、これとともに、ユーザＬＥＤ２３ｂを消灯し、ユーザＬＥＤ２３ｃを点灯させる。このようにして、今選択されているユーザが、ユーザ番号「２」のユーザであることが示される。
【０１２４】
新たなユーザ番号を受けたスマートフォン４ａは、このユーザ番号に対応するユーザ名を不揮発性メモリ４５から読み出して、ユーザ名表示領域４００に表示する（ステップＳ５３）。ユーザによって、決定ボタン４１０（図１２Ｂ参照）が押下されると、スマートフォン４ａは、決定ボタン４１０が押されたことを電動歯ブラシ装置２に送信する（ステップＳ５５）。スマートフォン４ａは、この時に選択されているユーザを、今回の使用ユーザであると決定する（ステップＳ５６）。
【０１２５】
決定の通知を受けた電動歯ブラシ装置２は（ステップＳ２９）、この時に選択されているユーザを、今回の使用ユーザであると決定する（ステップＳ３１）。以上のようにして、使用するユーザを決定することができる。
【０１２６】
次に、スマートフォン４ａは、インターネットを介して、前記ユーザに対応付けてサーバ装置８に記録されている指導データのバージョン番号を問い合わせる（ステップＳ５７）。後述のように、指導データが修正されると、サーバ装置８にアップロードされる。したがって、スマートフォン４ａは、現在、自らの装置に記録されている指導データが、最新のものであるかどうかを確認するために、上記バージョン番号の問合せを行う。
【０１２７】
これを受けて、サーバ装置８は、最新のバージョン番号をスマートフォン４ａに送信する（ステップＳ８１）。最新のバージョン番号を受信したスマートフォン４ａは、自らが不揮発性メモリ４５に記録している指導データのバージョン番号と比較する（ステップＳ５８）。
【０１２８】
バージョン番号が合致しなければ（つまり、スマートフォン４ａに記録されている指導データのバージョンが古ければ）、スマートフォン４ａは、サーバ装置８に対し、最新の指導データを要求する（ステップＳ５９）。サーバ装置８は、これを受けて、最新の指導データをスマートフォン４ａに送信する（ステップＳ８２）。
【０１２９】
スマートフォン４ａは、受信したデータにより、不揮発性メモリ４５の指導データを更新する（ステップＳ６０）。このようにして、スマートフォン４ａは、当該ユーザに関する指導データを最新のものとすることができる。
【０１３０】
なお、ステップＳ５８において、バージョンが合致した場合（つまり、スマートフォン４ａに記録されている指導データが最新バージョンであれば）、ステップＳ５９、Ｓ６０、Ｓ８２は実行されない。
【０１３１】
次に、スマートフォン４ａは、不揮発性メモリ４５に記録された指導データに基づいて、初期ガイダンス画面をタッチディスプレイ４１に表示する（ステップＳ６４）。
【０１３２】
図１５Ａに、指導データの例を示す。歯磨きを行う部位が、順に記録されている。この実施形態では、図１５Ｂに示すように１６個の部位を設定している。指導データにおいて、各部位に対応づけて、磨き角度およびその部位を磨く適正時間が記録されている。図１５Ａの例では、「上顎右奥歯噛み合わせ」について０度にて４０秒磨く、その次に「上顎右奥歯外側」について３１５度にて５５秒磨く、その次に「上顎前歯外側」について９０度にて３５秒磨く・・・ということが示されている。
【０１３３】
電動歯ブラシ装置２は、指導データの最初に記載された部位（ここでは「上顎右奥歯噛み合わせ」）を初期位置・初期姿勢として、初期ガイダンス画面を表示する。初期ガイダンス画面の例を、図１４Ａに示す。初期位置・初期姿勢（この例では、右上奥歯の噛み合わせ面に真下から電動歯ブラシ装置２を当てた状態）に当てて、電動歯ブラシ装置２の開始スイッチ２１ａを押すようにガイダンスが表示されている。
【０１３４】
ユーザが、このガイダンスにしたがって、開始スイッチ２１ａを押すと、電動歯ブラシ装置２は、スマートフォン４ａに対して、スタートの指示を送信する（ステップＳ３４、Ｓ３５）。さらに、電動歯ブラシ装置２は、加速度センサ３１、ジャイロセンサ３３の出力を、所定時間間隔（たとえば０．１秒ごと）でスマートフォン４ａに送信する。なお、センサデータの送信は、電動歯ブラシ装置２のスイッチが切られるまで行われる。
【０１３５】
なお、電動歯ブラシ装置２の位置と姿勢は、図１６Ａに示すように、ユーザの顔に向かって電動歯ブラシ装置２を水平に置き、図１６Ｂ（電動歯ブラシ装置２を正面から見た図）に示すように、電動歯ブラシ装置２のブラシを上に向けた状態を基本位置・基本姿勢とする。
【０１３６】
スマートフォン４ａは、指導データに記述された初期位置・初期姿勢（ここでは「上顎右奥歯噛み合わせ」）について、予め記録されている位置・姿勢（上記基本位置・基本姿勢を基準とした位置・姿勢）を読み出す。なお、スマートフォン４ａには、予め、各部位を初期位置・初期姿勢とした場合の、基本位置・基本姿勢を基準とした場合の位置・姿勢が記録されている。
【０１３７】
スマートフォン４ａは、スタートの指示を受けて、不揮発性メモリ４５に記録されている指導データに基づいて、ガイダンス表示、ガイダンス音声の出力を行う（ステップＳ６５）。また、受信した加速度センサ３１、ジャイロセンサ３３の出力を、不揮発性メモリ４５に記録する（ステップＳ６６）。
【０１３８】
図１４Ｂに、指導データに基づいて表示されたガイダンス表示を示す。現在磨くべき部位の表示４１４として「上顎右奥歯外側」が示されている。また、歯ブラシを当てる角度が画像４１３として表示されている。さらに、この部位を磨くべき時間表示４１６として「５５秒」が示されている。したがって、ユーザに対して、今「上顎右奥歯外側」を「３１５度の角度」で「５５秒」磨くように指示することができる。
【０１３９】
また、この実施形態では、部位を文字で表示するだけでなく、図１４Ｂの４１２に示すように、口腔内の画像上において現在磨くべき部位を明るい色（や点滅表示）によって表示するようにしている。これにより、ユーザは、容易に磨くべき部位を知ることができる。
【０１４０】
スマートフォン４ａは、指導データに示された全ての部位の表示が終了したかどうかを判断する（ステップＳ６７）。部位が残っていれば、スマートフォン４ａは、現在表示中の部位に代えて、指導データの次の部位を表示すべきタイミングかどうかを判断する（ステップＳ６８）。たとえば、現在、図１４Ｂに示すように、「上顎右奥歯外側」を表示中であれば、この表示を開始してから、５５秒が経過したかどうかを判断する。経過していれば、指導データ(図１５Ａ）の次の部位を表示する（ステップＳ６９）。
【０１４１】
上記のようにして、指導データに記述された全ての部位の表示が終了すると、スマートフォン４ａは、タッチディスプレイ４１において、ユーザに対して電動歯ブラシ装置２のスイッチを切るように指示する画面を表示する（ステップＳ７０）。ユーザは、この指示に従って、電動歯ブラシ装置２の電源スイッチ２１ｃを切って動作を停止させる。
【０１４２】
次に、スマートフォン４ａは、電動歯ブラシ装置２から受信して記録した加速度センサ３１、ジャイロセンサ３３の出力に基づいて、歯磨き中の電動歯ブラシ装置２の位置と、電動歯ブラシ装置２の姿勢を推定する（ステップＳ７１）。
【０１４３】
図３に示すように、加速度センサ３１は、電動歯ブラシ装置２の本体の延長方向であるＸ軸方向、電動歯ブラシ装置２に取り付けられたブラシの向かう方向であるＹ軸方向、これらに垂直なＺ軸方向の加速度を検出する。したがって、電動歯ブラシ装置２が移動すれば、上記検出した加速度を２回積分することで、Ｘ軸、Ｙ軸、Ｚ軸に関する移動距離を算出することができる。
【０１４４】
ジャイロセンサ３３は、電動歯ブラシ装置２のＸ軸周り（ロール）の角速度γ、Ｙ軸周り（ピッチ）の角速度β、Ｚ軸周り（ヨー）の角速度αを検出する。したがって、電動歯ブラシ装置２の姿勢が変われば、上記検出した角速度を１回積分することで、Ｘ軸周り、Ｙ軸周り、Ｚ軸周りの移動角度を算出することができる。
【０１４５】
歯磨き開始時の位置と姿勢は、ステップＳ５１において、指導データに基づきスマートフォン４ａから指示するので、これを用いることができる。したがって、スマートフォン４ａは、開始時の位置を基準に、上記のＸ軸、Ｙ軸、Ｚ軸方向の移動距離を用いて、歯磨き中の各時刻の位置を推定することができる。さらに、開始時の姿勢（Ｘ軸周りの角度、Ｙ軸周りの角度、Ｚ軸周りの角度）を基準に、上記のＸ軸周り、Ｙ軸周り、Ｚ軸周りの移動角度を用いて、歯磨き中の各時刻の姿勢を推定することができる。
【０１４６】
この実施形態では、推定した電動歯ブラシ装置２の位置・姿勢に基づいて、図１５Ｂに示した１６カ所の領域のいずれを磨いているかを推定するようにしている。このように、最終的に１６カ所のいずれの領域を磨いているかを推定するようにすることで、加速度センサ３１やジャイロセンサ３３の検出精度が十分でなくても、実用に耐える推定を行うことができる。
【０１４７】
さらに、この実施形態では、指導データに基づいてスマートフォン４ａによって表示した歯磨き部位の指示も考慮して、上記領域の推定を行うようにしている。部位の推定は、Ｘ軸、Ｙ軸、Ｚ軸方向の位置、Ｘ軸周りの角度、Ｙ軸周りの角度、Ｚ軸周りの角度を総合的に判断して行うのが基本である。ただし、この実施形態では、ユーザに対してガイダンス表示をしているので、この情報を組み合わせることにより、より正確に部位の推定を行うことができる。
【０１４８】
たとえば、図１７Ｂに示すように、スマートフォン４ａにて、指導データに基づいて、「上顎右奥歯噛み合わせ」から「上顎右奥歯外側」に部位の表示を変えたとする。このとき、図３のロール角の変化が顕著であるはずである。したがって、スマートフォン４ａは、指導データに基づくガイダンス表示の変化点ＣＰの近傍において、ロール角が４５度程度変化（上記部位の変化に合致するセンサ検出角度が変化）する点ＡＰ（図１７Ａ参照）を見いだすことで、精度良く部位の推定を行うことができる。つまり、上記のように、ガイダンスにて指示した部位の変更時刻の前後近傍で、当該ガイダンスによって指示した部位変化に伴う変化が大きくなるであろうセンサ出力成分のウエイトを大きくして、部位の推定を行うことができる。
【０１４９】
以上のようにして、歯磨き部位の推定を行うと、スマートフォン４ａは、指導データと推定データとの比較を行う（ステップＳ７２）。たとえば、指導データにて示された各部位の歯磨き時間と、各部位を実際に磨いた時間との差を算出する。
【０１５０】
続いて、スマートフォン４ａは、歯磨き開始日時、ユーザＩＤ、上記推定した各部位の歯磨き時間、指導データとの比較等を、インターネットを介して、サーバ装置８に送信する（ステップＳ７３）。これを受けたサーバ装置８は、これら解析データをハードディスク８３に記録する。
【０１５１】
以上のようにして、ユーザが指導データに基づいて歯磨きを行った記録が、サーバ装置８に記録されることになる。１日１回の歯磨きを行う場合、１日ごとに解析データが蓄積されることになる。
【０１５２】
次に、ユーザが、歯科医院に来院した場合の処理について説明する。歯科医院には、指導者装置６が設置されている。歯科医院の歯科医は、来院したユーザの歯や歯茎の状況を診察する。この際、歯科医は歯や歯茎の問題点（汚れ、腫れなど）を把握する。
【０１５３】
図１８に、診察時処理のフローチャートを示す。指導者である歯科医は、指導者装置６からサーバ装置８にアクセスし、医師ＩＤ・パスワードを入力してログインする（ステップＳ７４）。サーバ装置８は、医師ＩＤ・パスワードを受けて、ログイン処理を行う（ステップＳ９１）。次に、歯科医は、指導者装置６を操作し、患者のユーザＩＤを伴って解析データの要求を入力する。これを受けて、指導者装置６は、サーバ装置８に対し、当該ユーザＩＤの解析データの要求を行う（ステップＳ７５）。
【０１５４】
サーバ装置８は、ハードディスク８３に記録されている当該ユーザの解析データを読み出して、指導者装置６に送信する（ステップＳ９２）。この際、指導者装置６は、未送信の解析データのみを選択して送信する。したがって、サーバ装置８からは、前回受診してからの解析データが送信されてくることになる。
【０１５５】
解析データを受信した指導者装置６は、この解析データに基づいて、解析図を生成し（ステップＳ７６）、ディスプレイ６１に表示する（ステップＳ７７）。図１９に、解析図の例を示す。この実施形態では、磨き時間と磨き角度についての解析図を示すようにしている。各部位ごとに指導データと実際の磨き時間との差を、口腔画像上に色づけして表示している。なお、実際の磨き時間は、解析データが複数日分あれば、その平均値をとって比較する。
【０１５６】
この実施形態では、実際の磨き時間が指導データにて指示された磨き時間に達していれば（指導データの９５％以上であれば）、当該部位を白色にて表示する。実際の磨き時間が、指導データの８０％〜９５％であれば、当該部位を薄い灰色にて表示する。実際の磨き時間が、指導データの８０％以下であれば、当該部位を濃い灰色にて表示する。
【０１５７】
図１９において、上顎左奥歯前３００および上顎右噛み合わせ３０２は、指導データの８０％以下の時間しか磨かれていないことがわかる。また、下顎前歯外側３０４は、指導データの８０％〜９５％の時間しか磨かれていないことがわかる。
【０１５８】
また、磨き角度については、指導データにて指定された角度を保っていた時間（指定角度とのずれが１０％以内）が、当該部位の磨き時間（指導データによる磨き時間）の９５％以上であれば、当該部位を白色にて表示する。指導データにて指定された角度を保っていた時間が、指導データの８０％〜９５％であれば、当該部位を薄い灰色にて表示する。指導データにて指定された角度を保っていた時間が、指導データの８０％以下であれば、当該部位を濃い灰色にて表示する。なお、磨き角度の合致度は、複数日（複数回）のデータがある場合、各日の合致度の平均値として算出する。
【０１５９】
図１９においては、全ての部位が、正しい角度で磨かれていることが表示されている。
【０１６０】
次に、歯科医は、先に行った診察の結果と、この解析画面に表示された解析結果に基づいて、指導データの修正を行う。まず、図１９のラジオボタン３０６を、マウスなどによって選択する。これを受けて、指導者装置６は、図２０に示すような指導データ修正画面を表示する（ステップＳ７８）。指導者は、この画面において、診察結果と解析結果に基づいて、指導データの修正を行う。たとえば、指導データどおりに磨かれているのに、診察の結果として磨き残しがある場合には、当該部位の磨き時間を長く設定し直す（あるいは、磨き角度を変更する）等を行う。
【０１６１】
指導データ修正画面においては、各部位ごとにタグ３１２が設けられ、その磨き順に並べられている。磨き順を変更する場合には、このタグ３１２をマウスなどで移動させる。また、各タグ３１２において、時間を修正する場合には、時間入力領域３０８にて修正を行う。また、角度を修正する場合には、角度入力領域３１０にて修正を行う。
【０１６２】
修正が終了し、歯科医によって登録ボタン３１４がクリックされると、指導者装置６は、修正された指導データ、ユーザＩＤを、インターネットを介して、サーバ装置８に送信する（ステップＳ７９）。サーバ装置８は、指導データを受信し（ステップＳ９３）、ユーザＩＤに対応付けてハードディスク８３に記録する（ステップＳ９４）。なお、サーバ装置８は、指導データのバージョンを管理しており、修正された指導データに対し、新たなバージョン番号を付して記録する。
【０１６３】
以上のようにして、サーバ装置８に修正された指導データが、最新バージョンの指導データとして記録される。したがって、ユーザが、次回、電動歯ブラシ装置２を使用する際に、スマートフォン４ａの指導データが更新されることになる（図９ｂ参照）。
【０１６４】
このようにして、次回からの歯磨きにおける指導データとして、修正された指導データが用いられることになる。
【０１６５】
1.4その他
(1)上記実施形態では、スマートフォン４ａの側において、解析画面を生成するようにしている。しかし、サーバ装置８において解析画面を生成し、スマートフォン４ａでは、それを表示するだけにしてもよい。この場合、スマートフォン４ａには、ブラウザプログラムがあればよい。
【０１６６】
(2)上記実施形態では、加速度センサ３１、ジャイロセンサ３３のセンサデータを、所定時間間隔で順次、スマートフォン４ａに送信するようにしている。しかし、歯磨き処理が終了してから、まとめて、送信するようにしてもよい。また、前者の場合であっても、送信が上手く行われなかった時のために、電動歯ブラシ装置２にセンサデータを蓄積しておき、送信状況が良くなった時に送信するようにしてもよい。
【０１６７】
(3)上記実施形態では、スマートフォン４ａは、歯磨き終了後に解析処理を行うようにしているが、センサデータが送られてくるとともにリアルタイムに解析処理を行うようにしてもよい。このようにすれば、実際に磨いている位置や角度が指導データと異なる場合、リアルタイムに、その旨をスマートフォン４ａに表示して注意を喚起することができる。
【０１６８】
(4)各部位を磨いている際に、図１４Ｂのガイダンス画面に加えて、スマートフォン４ａから当該部位を磨くべき残り秒数を音声として出力するようにしてもよい。また、磨くべき部位や角度を音声で出力するようにしてもよい。さらに、ガイダンスを画面表示ではなく、音声のみによって行うようにしてもよい。
【０１６９】
(5)歯磨きが終了した際に、スマートフォン４ａにおいて、解析画面を表示するようにしてもよい。たとえば、図１９に示すような指導者装置６に表示するような画面と同様の画面や、これを簡易にした画面（たとえば、各部位における指導データとの合致の程度までは表示せず有無だけを表示）を表示するようにしてもよい。
【０１７０】
(6)上記実施形態では、解析データをサーバ装置８に送信し、これを介して、指導者装置６がこれを取得するようにしている。しかし、患者が歯科医を訪れた際に、スマートフォン４ａに蓄積された解析データを、指導者装置６に近距離通信などで送信するようにしてもよい。
【０１７１】
(7)上記実施形態では、スマートフォン４ａが、加速度センサ３１、ジャイロセンサ３３のセンサデータを受けて、位置および姿勢を推定し、さらに、指導データとの比較を行うようにしている。しかし、位置および姿勢の推定をスマートフォン４ａで行い。指導データとの比較は、サーバ装置８または指導者装置６にて行うようにしてもよい。
【０１７２】
(8)上記実施形態では、指導データにおいて位置と姿勢（角度）を指示するようにしている。しかし、位置のみ姿勢のみを指導データにおいて指示するようにしてもよい。また、姿勢については、歯ブラシを当てる角度だけでなく、歯ブラシ自体の角度（図３のヨーまたはローまたはその双方）も指導データにて指示するようにしてもよい。
【０１７３】
(9)上記実施形態では、スマートフォン４ａ、サーバ装置８、指導者装置６によって制御管理装置を構成している。しかし、これらを１つまたは２つのＰＣや携帯端末によって構成してもよいし、さらに４つ以上のＰＣや携帯端末によって構成してもよい。
【０１７４】
(10)上記実施形態では、指導データによる部位の変化も考慮して、ブラシ位置や姿勢を推定するようにし、その推定精度をあげるようにしている。したがって、指導データにおいて、磨く部位の順番を指定する際には、位置および姿勢の双方が変化するように部位の順番を指定することが好ましい。特に、加速度センサやジャイロセンサなどのセンサにおいては、加速度センサによる位置変化よりもジャイロセンサによる姿勢の変化の方が精度良く検出を行うことができる。したがって、隣接する順番において、必ず姿勢変化が生じるように順番を指定すれば、加速度センサの検出精度を補って、精度良く推定を行うことができる。すなわち、隣接する順番において、位置変化または姿勢変化に対して前記センサの検出精度が高い変化を含むように、順番を指定することが好ましい。
【０１７５】
(11)上記実施形態では、スマートフォン４ａにより、指導データに記述された各部位の歯磨き時間が経過すれば、次の部位を磨くようにガイダンスを変えるようにしている。しかし、指導データと合致した状態（Ｘ、Ｙ、Ｚ、α、β、γのいずれもが指導データの所定割合以内の誤差である状態）で磨かれた時間を積算し、この積算時間が指導データに記述された当該部位の歯磨き時間に達すれば、次の部位を磨くようにガイダンスするようにしてもよい。
【０１７６】
また、これらの処理を電動歯ブラシ装置２において行うようにしてもよい。
【０１７７】
(12)上記実施形態では、スマートフォン４ａにより、指導データに記述された各部位の歯磨き時間にしたがって、次の部位を磨くようにガイダンスを変えるようにしている。しかし、電動歯ブラシ装置２に指導データを記録するようにし、電動歯ブラシ装置２において、ＬＥＤを点灯させるなどしてガイダンスを行うようにしてもよい。
【０１７８】
(13)上記実施形態では、口腔内を１６個の部位に分けているが、これよりも細かく（たとえば、歯一本ずつを部位とするなど）分けても、大きく分けてもよい。
【０１７９】
(14)上記実施形態では、電動歯ブラシ装置２を用いたシステムについて説明した。しかし、人体に対して位置と姿勢を変化させながら接触もしくは近接させて使用する機器において、その好ましい位置と姿勢を指導データとしてスマートフォンで表示し、実際の位置と姿勢をセンサによって検出するような場合に適用することができる。
【０１８０】
たとえば、電極の貼り付け位置を変えながら使用する低周波治療器などにも適用することができる。この場合、指導データとしては時間ごとの電極の貼り付け位置を用い、センサデータとしては実際に貼り付けられた電極の位置（筋肉の脈動位置などにより推定できる）を用いることができる。
【０１８１】
(15)上記実施形態では、加速度センサ３１、ジャイロセンサ３３が設けられており、このセンサ出力を受けて、スマートフォン４ａが位置・姿勢を推定している。しかし、電動歯ブラシ装置２に、位置・姿勢の推定を行って出力するセンサを設けてもよい。
【０１８２】
(16)上記実施形態では、指導者装置６によって修正された指導データは、サーバ装置８を介して、スマートフォン４ａに送信されるようにしている。しかし、指導者装置６から、近距離通信やインターネットなどにより、直接、スマートフォン４ａに送信するようにしてもよい。
【０１８３】
(17)上記実施形態では、歯磨き中に、ユーザは移動したり、方向を変えたりしないものとして説明した。しかし、歯磨き中に、ユーザの移動や方向を変えることを許容する場合には、これを検出するセンサを設け、ユーザの移動や向きの変化をキャンセルして、ユーザの口と電動歯ブラシ装置２との位置関係を正確に推定することが好ましい。
【０１８４】
(18)上記実施形態およびその他の例は、その本質に反しない限り、他の実施形態においても適用可能である。
【０１８５】
２．第２の実施形態
2.1全体構成
図２１に、第２の実施形態による歯磨き指導システムの全体構成を示す。このシステムは、電動歯ブラシ装置２、利用者のスマートフォンなどの利用者装置４、歯科医師のＰＣなどの指導者装置６、サーバ装置８を備えている。
【０１８６】
利用者装置４のガイダンス出力手段４４は、利用者装置記録部４６に記録されている指導データに基づいて、歯磨きのガイダンスをディスプレイなどに出力する。利用者は、このガイダンスを参照しながら、電動歯ブラシ装置２にて歯磨きを行う。この際、電動歯ブラシ装置２の動作（歯ブラシの振動数など）は、電動歯ブラシ装置記録部９０４に記録されている動作制御データに基づいて、制御手段９０２の制御により制御される。
【０１８７】
電動歯ブラシ装置２のセンサ２４は、ブラシの位置および姿勢を検出する。検出されたブラシの位置および姿勢（検出データ）は、検出データ送信手段２２によって、利用者装置４に送信される。
【０１８８】
利用者装置４の解析手段４２は、検出データおよび指導データに基づいて、歯ブラシ状況を解析する。解析データは、解析データ送信手段５０によって、サーバ装置８に送信される。
【０１８９】
サーバ装置８の解析データ取得・記録手段８２は、取得した解析データをサーバ装置記録部８４に記録する。解析データ読出・送信手段８６は、指導者装置６からの要求を受けて、サーバ装置記録部８４に記録されている解析データを送信する。
【０１９０】
指導者装置６の解析データ出力手段６２は、サーバ装置８から受信した解析データを、ディスプレイ６１などに表示する。歯科医師などの指導者は、この解析データを参照し、ガイダンスとして表示するための指導データを修正するための指示を入力する。また、電動歯ブラシ装置２の動作を制御するための動作制御データを修正するための指示を入力する。データ修正手段６４は、これを受けて、指導データおよび動作制御データを修正する。
【０１９１】
データ送信手段６６は、サーバ装置８を介して、利用者装置４に対して更新された指導データを送信する。利用者装置４の指導データ更新手段４８は、利用者装置記録部４６に記録されている指導データを、受信した指導データによって更新する。したがって、次回からのガイダンスは、歯ブラシ状況に基づいて歯科医師などが修正した指導データに基づいて行われることになる。
【０１９２】
また、データ送信手段６６は、電動歯ブラシ装置２に対して更新された動作制御データを送信する。電動歯ブラシ装置２の動作制御データ取得手段９０６は、電動歯ブラシ装置記録部９０４に記録されている動作制御データを、受信した動作制御データによって更新する。したがって、次回からの電動歯ブラシ装置２の動作は、歯ブラシ状況に基づいて歯科医師などが修正した動作制御データに基づいて行われることになる。
【０１９３】
したがって、指導者による適切な歯磨き指導を行って、これを実践することができる。
【０１９４】
2.2ハードウエア構成
システム構成並びに各装置のハードウエア構成は、第１の実施形態と同様である。ただし、図２２に示すように、電動歯ブラシ装置２には、位置・姿勢センサ９３１が設けられている。第１の実施形態では、加速度センサ３１、ジャイロセンサ３３が設けられており、このセンサ出力を受けて、スマートフォン４ａが位置・姿勢を推定していた。しかし、この実施形態では、電動歯ブラシ装置２に、位置・姿勢の推定を行って出力するセンサ９３１を設けている。
【０１９５】
2.3歯磨き指導処理
この実施形態では、ガイダンスのための指導データと、電動歯ブラシ装置２の動作を制御する動作制御データを、一体化した指導・制御データとしている。
【０１９６】
この実施形態においても、ペアリング処理は、第１の実施形態の図８と同様である。
【０１９７】
図２３ａ、図２３ｂ、図２４、図２５に、歯磨き指導処理のフローチャートを示す。ここでは、既に、電動歯ブラシ装置２とスマートフォン４ａのペアリングが済んでいるものとする。
【０１９８】
使用ユーザの決定処理は、図２３ａに示すとおりである。この処理は、第１の実施形態における図９ａの処理と同様である。
【０１９９】
使用ユーザの決定がなされると、スマートフォン４ａは、自らが記録する指導・制御データが最新であるかどうかを判断し、最新でなければサーバ装置８からダウンロードして更新する（ステップＳ５７〜Ｓ６０）。この点は、第一の実施形態の図９ｂと同様である。
【０２００】
次に、スマートフォン４ａは、電動歯ブラシ装置２に記録されている指導・制御データが最新のものであるかどうかを判断するため、電動歯ブラシ装置２に対し、指導・制御データのバージョン番号を問い合わせる（ステップＳ６１）。電動歯ブラシ装置２は、これを受けて、不揮発性メモリ２７に記録されている指導・制御データのバージョン番号をスマートフォン４ａに送信する（ステップＳ３２）。バージョン番号を受信したスマートフォン４ａは、自らが不揮発性メモリ４５に記録している指導・制御データのバージョン番号と比較する（ステップＳ６２）。
【０２０１】
バージョン番号が合致しなければ（つまり、電動歯ブラシ装置２に記録されている指導・制御データのバージョンが古ければ）、スマートフォン４ａは、電動歯ブラシ装置２に対し、指導・制御データを送信する（ステップＳ６３）。電動歯ブラシ装置２は、受信したデータにより、不揮発性メモリ２７の指導・制御データを更新する（ステップＳ３３）。このようにして、電動歯ブラシ装置２は、当該ユーザに関する指導・制御データを最新のものとすることができる。
【０２０２】
なお、ステップＳ６２において、バージョンが合致した場合（つまり、電動歯ブラシ装置２に記録されている指導・制御データが最新バージョンであれば）、ステップＳ６３、Ｓ３３は実行されない。
【０２０３】
続いて、スマートフォン４ａは、不揮発性メモリ４５に記録された指導・制御データに基づいて、初期ガイダンス画面をタッチディスプレイ４１に表示する（図２４、ステップＳ６４）。
【０２０４】
図１５Ａに、指導・制御データのうちの指導データの部分の例を示す。歯磨きを行う部位が、順に記録されている。この実施形態では、図１５Ｂに示すように１６個の部位を設定している。指導データにおいて、各部位に対応づけて、磨き角度およびその部位を磨く適正時間が記録されている。図１５Ａの例では、「上顎右奥歯噛み合わせ」について０度で４０秒磨く、その次に「上顎右奥歯外側」について３１５度で５５秒磨く、その次に「上顎前歯外側」について９０度で３５秒磨く・・・ということが示されている。
【０２０５】
電動歯ブラシ装置２は、指導・制御データの最初に記載された部位（ここでは「上顎右奥歯噛み合わせ」）を初期位置・初期姿勢として、初期ガイダンス画面を表示する。初期ガイダンス画面の例を、図１４Ａに示す。初期位置・初期姿勢（この例では、右上奥歯の噛み合わせ面に真下から電動歯ブラシ装置２を当てた状態）に当てて、電動歯ブラシ装置２の開始スイッチ２１ａを押すようにガイダンスが表示されている。
【０２０６】
ユーザが、このガイダンスにしたがって、開始スイッチ２１ａを押すと、電動歯ブラシ装置２は、スマートフォン４ａに対して、スタートの指示を送信する（ステップＳ３４、Ｓ３５）。さらに、電動歯ブラシ装置２は、位置・姿勢センサ９３１による位置・姿勢データを、所定時間間隔（たとえば０．１秒ごと）でスマートフォン４ａに送信する（ステップＳ３６）。なお、センサデータの送信は、電動歯ブラシ装置２のスイッチが切られるまで行われる。
【０２０７】
電動歯ブラシ装置２は、スタート指示を受けて、不揮発性メモリ２７に記録されている指導・制御データ中の動作制御データに基づいて、ブラシ制御部２９を制御する（ステップＳ３６１）。動作制御データの例を、図２６に示す。指導データと同じように、磨く順番に部位が記録され、これに対応付けて磨き強度、磨き時間が記録されている。
【０２０８】
磨き強度は、数字が大きいほど強度が大きく、小さいほど強度が小さいことを示している。ブラシ制御部２９は、磨き強度が大きい場合にはブラシの振動数を上げ、磨き強度が小さい場合にはブラシの振動数を下げるように制御する。
【０２０９】
スマートフォン４ａは、スタートの指示を受けて、不揮発性メモリ４５に記録されている指導データに基づいて、ガイダンス表示、ガイダンス音声の出力を行う（ステップＳ６５）。また、受信した位置・姿勢データを、不揮発性メモリ４５に記録する（ステップＳ６６）。
【０２１０】
図１４Ｂに、指導・制御データに基づいて表示されたガイダンス表示を示す。現在磨くべき部位の表示４１４として「上顎右奥歯外側」が示されている。また、歯ブラシを当てる角度が画像４１３として表示されている。さらに、この部位を磨くべき時間表示４１６として「５５秒」が示されている。したがって、ユーザに対して、今「上顎右奥歯外側」を「３１５度の角度」で「５５秒」磨くように指示することができる。
【０２１１】
また、この実施形態では、部位を文字で表示するだけでなく、図１４Ｂの４１２に示すように、口腔内の画像上において現在磨くべき部位を明るい色（や点滅表示）によって表示するようにしている。これにより、ユーザは、容易に磨くべき部位を知ることができる。
【０２１２】
スマートフォン４ａは、受信した位置・姿勢データが、指導・制御データの指導データと合致しているかどうかを判断する（ステップＳ６６１）。この実施形態では、位置データにおけるＸ値、Ｙ値、Ｚ値のいずれかが所定割合以上（たとえば１０％以上）ずれていれば合致していないと判断する。また、姿勢データにおけるα値、β値、γ値のいずれかが所定割合以上（たとえば１０％以上）ずれていれば合致していないと判断する。
【０２１３】
指導データと合致していなければ、スマートフォン４ａは、タッチディスプレイ４１にその旨を表示するとともに、電動歯ブラシ装置２に対して、警告の指示を送信する（ステップＳ６６２）。電動歯ブラシ装置２は、これを受けて、告知ＬＥＤ２３ａを点滅させて、指導データとずれた磨き方であることを警告する（ステップＳ３６２、Ｓ３６３）。
【０２１４】
次に、  スマートフォン４ａは、指導データに示された全ての部位の表示が終了したかどうかを判断する（ステップＳ６７）。部位が残っていれば、スマートフォン４ａは、現在表示中の部位に代えて、指導データの次の部位を表示すべきタイミングかどうかを判断する（ステップＳ６８）。たとえば、現在、図１４Ｂに示すように、「上顎右奥歯外側」を表示中であれば、この表示を開始してから、５５秒が経過したかどうかを判断する。経過していれば、指導データ(図１５Ａ）の次の部位を表示する（ステップＳ６９）。
【０２１５】
一方、電動歯ブラシ装置２は、指導・制御データに示された全ての部位の制御が終了したかどうかを判断する（ステップＳ３６４）。部位が残っていれば、電動歯ブラシ装置２は、現在制御中の動作に代えて、指導・制御データ中の動作制御データの次の動作に切り替えるべきかどうかを判断する（ステップＳ３６５）。つまり、次の部位に対する制御に切り替えるべきかどうかを判断する。
【０２１６】
たとえば、現在、図２６に示すように、「上顎右奥歯外側」に対応する制御（つまり、磨き強度「１」として制御）を行っているのであれば、この制御を開始してから、５５秒が経過したかどうかを判断する。経過していれば、動作制御データの次の部位に対する制御（「上顎前歯外側」に対して設定された磨き強度「２」の制御）に切り替える（ステップＳ３６６）。
【０２１７】
なお、この実施形態では、この切替時に、所定時間（たとえば、０．５秒）だけ、歯ブラシの振動を停止させるようにしている。これにより、ユーザは、切替のタイミング（つまり、歯磨き部位を移動させるタイミング）を容易に知ることができる。音声など、その他の方法にて告知するようにしてもよい。
【０２１８】
上記のようにして、スマートフォン４ａは、指導データに記述された全ての部位の表示が終了すると、タッチディスプレイ４１において、歯磨きが終了した旨の表示を行う（ステップＳ７０）。また、電動歯ブラシ装置２は、全ての部位に対する制御が終了すると、電源を自ら切断する。
【０２１９】
続いて、スマートフォン４ａは、位置・姿勢データに基づいて各時刻においていずれの部位を磨いているかを推定して、各部位の歯磨き時間を算出する。また、各部位における歯磨き時間や角度などについて、指導データとの比較を算出する。この解析データは、サーバ装置８に送信される（ステップＳ７３）。これを受けたサーバ装置８は、これら解析データをハードディスク８３に記録する。
【０２２０】
以上のようにして、ユーザが指導データに基づいて歯磨きを行った記録が、サーバ装置８に記録されることになる。１日１回の歯磨きを行う場合、１日ごとに解析データが蓄積されることになる。
【０２２１】
次に、ユーザが、歯科医院に来院した場合の処理について説明する。歯科医院には、指導者装置６が設置されている。歯科医院の歯科医は、来院したユーザの歯や歯茎の状況を診察する。この際、歯科医は歯や歯茎の問題点（汚れ、腫れなど）を把握する。
【０２２２】
図２７に、診察時処理のフローチャートを示す。この処理は、第１の実施形態における図１８のフローチャートと同様である。ただし、この実施形態では、歯科医は、電動歯ブラシ装置２の動作を制御する動作制御データ（図２６参照）も修正できるようになっている。
【０２２３】
図２８に、設定画面の例を示す。磨き強さの設定領域３１５が設けられている。歯科医は、患者による歯磨きの状況を確認して、磨き強さを変更することができる（ステップＳ７５）。
【０２２４】
修正が終了し、歯科医によって登録ボタン３１４がクリックされると、指導者装置６は、修正された指導・制御データを、電動歯ブラシ装置２に送信する（ステップＳ７６１）。電動歯ブラシ装置２は、近距離通信などによりこれを受信する（ステップＳ６７１）。さらに、受信した修正指導・制御データによって、不揮発性メモリ２７に記録されている指導・制御データを更新する（ステップＳ６８１）。患者は、来院の際に電動歯ブラシ装置２を持参するようにしているので、これが可能となる。
【０２２５】
さらに、指導者装置６は、修正された指導・制御データをサーバ装置８に送信する（ステップＳ７６）。これにより、患者による次回の歯磨き時に、修正された指導・制御データがサーバ装置８からスマートフォン４ａにダウンロードされる（図２３ｂ参照）。
【０２２６】
また、来院の際に、患者が電動歯ブラシ２を持参していない場合には、電動歯ブラシ装置２の指導・制御データが、更新されないことになる。この場合、患者による次回の歯磨き時に、スマートフォン４ａを介して、最新の指導・制御データに更新される（図２３ｂ、ステップＳ６１〜Ｓ６３、Ｓ３２、Ｓ３３参照）。
【０２２７】
このようにして、次回からの歯磨きにおける指導・制御データとして、修正された指導・制御データが用いられることになる。
【０２２８】
2.4その他
(1)上記実施形態では、指導データと動作制御データを合体した指導・制御データを用いている。しかし、２つのデータを分離し、指導データはスマートフォン４ａに送信し、動作制御データは電動歯ブラシ装置２に送信して用いるようにしてもよい。
【０２２９】
(2)上記実施形態では、指導者装置６から直接、電動歯ブラシ装置２に動作制御データを送信するようにしている。しかし、動作制御データを、指導者装置６から一旦、サーバ装置８やスマートフォン４ａに送信して記録し、これを介して、電動歯ブラシ装置２に動作制御データを送信するようにしてもよい。
【０２３０】
(3)上記実施形態では、動作制御データとして、磨き強さの設定を行った。しかし、磨きパターン（歯ブラシの振動数をごく短い時間で周期的に変化させるパターン）や歯ブラシの振動方向などを設定するようにしてもよい。
【０２３１】
(4)なお、指導者装置６にて表示する解析画面において、動作制御データの内容を各部位ごとに併せて表示するようにしてもよい。
【０２３２】
(5)上記実施形態では、指導データの位置・姿勢と検出データによって推定された位置・姿勢の合致をスマートフォン４ａにて判定し、合致していない場合に、電動歯ブラシ装置２にその旨を送信するようにしている。しかし、電動歯ブラシ２において、上記の合致度合いを判定するようにしてもよい。
【０２３３】
(6)上記実施形態では、電動歯ブラシ装置２に、位置・姿勢の推定を行って出力するセンサを設けている。しかし、第１の実施形態と同じように、電動歯ブラシ装置２に加速度センサ３１、ジャイロセンサ３３を設け、このセンサ出力を受けて、スマートフォン４ａが位置・姿勢を推定するようにしてもよい。
【０２３４】
(7)上記実施形態では、スマートフォン４ａによるガイダンス画面の部位変更タイミングと、電動歯ブラシ装置２による制御の部位変更タイミングは、それぞれ独立して行うようにしている。しかし、いずれか一方が部位変更タイミングを決定し、他方に対してこのタイミングを送信し、両者の同期をとるようにしてもよい。
【０２３５】
特に、指導データと合致した状態（Ｘ、Ｙ、Ｚ、α、β、γのいずれもが指導データの所定割合以内の誤差である状態）で磨かれた時間を積算し、この積算時間が指導データに記述された当該部位の歯磨き時間に達すれば、次の部位を磨くようにガイダンスないし動作制御を行う場合には、このような同期をとる必要がある。
【０２３６】
(7)上記実施形態およびその他の例は、その本質に反しない限り、他の実施形態においても適用可能である。
【図１】
0006645842.tif 000002
【図２】
0006645842.tif 000003
【図３】
0006645842.tif 000004
【図４】
0006645842.tif 000005
【図５】
0006645842.tif 000006
【図６】
0006645842.tif 000007
【図７】
0006645842.tif 000008
【図８】
0006645842.tif 000009
【図９ａ】
0006645842.tif 000010
【図９ｂ】
0006645842.tif 000011
【図１０】
0006645842.tif 000012
【図１１】
0006645842.tif 000013
【図１２】
0006645842.tif 000014
【図１３】
0006645842.tif 000015
【図１４】
0006645842.tif 000016
【図１５】
0006645842.tif 000017
【図１６】
0006645842.tif 000018
【図１７】
0006645842.tif 000019
【図１８】
0006645842.tif 000020
【図１９】
0006645842.tif 000021
【図２０】
0006645842.tif 000022
【図２１】
0006645842.tif 000023
【図２２】
0006645842.tif 000024
【図２３ａ】
0006645842.tif 000025
【図２３ｂ】
0006645842.tif 000026
【図２４】
0006645842.tif 000027
【図２５】
0006645842.tif 000028
【図２６】
0006645842.tif 000029
【図２７】
0006645842.tif 000030
【図２８】
0006645842.tif 000031